(57)【要約】【課題】本発明は、受信装置の受信品質を向上させることを目的とする。【解決手段】この目的を達成するために本発明の受信装置１３は、第１無線周波数帯の信号が入力される第１半導体チップ１４及び第２半導体チップ１５と、第２無線周波数帯の信号を用いて通信する通信部（図示せず）とを有する。そして、第２半導体チップ１５における第２混合部３７は、第１局部信号出力端子２７から第１局部信号入力端子３１に入力される第１局部信号の周波数が第２周波数帯から所定範囲内の周波数の場合、第２局部信号発振部２８からの第２局部信号を使用し、第１局部信号出力端子２７から第１局部信号入力端子３１に入力される第１局部信号の周波数が第２周波数帯から所定範囲内の周波数でない場合、第１局部信号入力端子３１からの第１局部信号を使用する。【選択図】図１
2007295458.tif 000002
【特許請求の範囲】
【請求項１】
第１無線周波数帯の受信信号が入力される第１半導体チップ及び第２半導体チップと、第２無線周波数帯の信号を用いて通信する通信部とを備え、
前記第１半導体チップは、第１局部信号を発振する第１局部発振部と、この第１局部発振部からの前記第１局部信号を用いて、前記第１無線周波数帯の受信信号を周波数変換する第１混合部と、前記第１局部発振部からの第１局部信号を前記第１半導体チップの外部に出力する第１局部信号出力端子とを有し、
前記第２半導体チップは、第２局部信号を発振する第２局部発振部と、前記第１局部信号出力端子からの前記第１局部信号を前記第２半導体チップ内部に入力する第１局部信号入力端子と、前記第２局部発振部からの前記第２局部信号と前記第１局部信号入力端子からの前記第１局部信号のうちいずれか一方を用いて、前記第１無線周波数帯の受信信号を周波数変換する第２混合部とを有し、
前記第２混合部は、前記第１局部信号出力端子から前記第１局部信号入力端子に入力される前記第１局部信号の周波数が前記第２周波数帯から所定範囲内の周波数の場合、前記第２局部発振部からの前記第２局部信号を用いて、前記第１無線周波数帯の受信信号を周波数変換し、前記第１局部信号出力端子から前記第１局部信号入力端子に入力される前記第１局部信号の周波数が前記第２周波数帯から前記所定範囲外の周波数である場合、前記第１局部信号入力端子からの前記第１局部信号を用いて、前記第１無線周波数帯の受信信号を周波数変換する受信装置。
【請求項２】
前記第１半導体チップは、前記第１局部発振部と前記第１混合部との間に接続されると共に前記第１局部発振部からの第１局部信号を分周する第１分周部を有し、前記第２半導体チップは、前記第１局部信号入力端子と前記第２混合部との間に接続されると共に前記第１局部信号入力端子からの第１局部信号を分周する第２分周部を有する請求項１に記載の受信装置。
【請求項３】
前記第２半導体チップは、前記第２混合器の出力側に接続された第２フィルタを有する請求項１に記載の受信装置。
【請求項４】
前記第１半導体チップ及び前記第２半導体チップは、前記第１無線周波数帯の信号をダイバシティ受信する請求項１に記載の受信装置。
【請求項５】
前記第１半導体チップは、前記第１局部発振部からの前記第１局部信号を前記第１局部信号出力端子に出力する第１バッファを有し、前記第２半導体チップは、前記第１局部信号入力端子からの前記第１局部信号を前記第２混合部に入力する第２バッファを有する請求項１に記載の受信装置。
【請求項６】
前記第１半導体チップは、前記第１局部発振部と第１局部信号出力端子との間に接続された第１バッファと、この第１バッファと並列に接続され入出力が前記第１バッファと逆方向となる第３バッファとを有し、前記第２半導体チップは、前記第１局部信号入力端子と第２混合部との間に接続された第２バッファと、この第２バッファと並列に接続され入出力が前記第２バッファと逆方向となる第４のバッファとを有する請求項５に記載の受信装置。
【請求項７】
第１無線周波数帯の受信信号が入力される第１半導体チップ及び第２半導体チップと、前記第１半導体チップ及び前記第２半導体チップの出力側に接続された復調部と、この復調部の出力側に接続された信号処理部と、この信号処理部の出力側に接続された表示部と、第２無線周波数帯の信号を用いて通信する通信部とを備え、
前記第１半導体チップは、第１局部信号を発振する第１局部発振部と、この第１局部発振部からの前記第１局部信号を用いて、前記第１無線周波数帯の受信信号を周波数変換する第１混合部と、前記第１局部発振部からの第１局部信号を前記第１半導体チップの外部に出力する第１局部信号出力端子とを有し、
前記第２半導体チップは、第２局部信号を発振する第２局部発振部と、前記第１局部信号出力端子からの前記第１局部信号を前記第２半導体チップ内部に入力する第１局部信号入力端子と、前記第２局部発振部からの前記第２局部信号と前記第１局部信号入力端子からの前記第１局部信号のうちいずれか一方を用いて、前記第１無線周波数帯の受信信号を周波数変換する第２混合部とを有し、
前記第２混合部は、前記第１局部信号出力端子から前記第１局部信号入力端子に入力される前記第１局部信号の周波数が前記第２周波数帯から所定範囲内の周波数の場合、前記第２局部発振部からの前記第２局部信号を用いて、前記第１無線周波数帯の受信信号を周波数変換し、前記第１局部信号出力端子から前記第１局部信号入力端子に入力される前記第１局部信号の周波数が前記第２周波数帯から前記所定範囲外の周波数である場合、前記第１局部信号入力端子からの前記第１局部信号を用いて、前記第１無線周波数帯の受信信号を周波数変換する電子機器。
【発明の詳細な説明】
【技術分野】
【０００１】
本発明は、信号を受信する受信装置とこれを用いた電子機器に関するものである。
【背景技術】
【０００２】
以下、従来の受信装置について図４を用いて説明する。図４において、従来の受信装置１は、第１無線周波数帯の信号をダイバシティ受信する第１半導体チップ２及び第２半導体チップ３と、第２無線周波数帯の信号を用いて通信する通信部（図示せず）とを備える。そして、第１半導体チップ２は、第１局部信号を発振する第１局部発振部４と、この第１局部発振部４からの第１局部信号を分周する第１分周部５と、この第１分周部５からの第１局部信号を用いて、第１無線周波数帯の受信信号を周波数変換する第１混合部６と、この第１混合部６の出力側に接続された第１フィルタ７と、第１局部発振部４からの第１局部信号を第１半導体チップ２の外部に出力する第１局部信号出力端子８とを有する。また、第２半導体チップ３は、第１局部信号出力端子８からの第１局部信号を第２半導体チップ３内部に入力する第１局部信号入力端子９と、この第１局部信号入力端子９からの第１局部信号を分周する第２分周部１０と、この第２分周部１０からの第１局部信号を用いて、第１無線周波数帯の受信信号を周波数変換する第２混合部１１と、この第２混合部１１の出力側に接続された第２フィルタ１２とを有する。
【０００３】
この従来の受信装置１において、第２半導体チップ３の第２混合部１１は第１半導体チップ２の第１局部発振部４を用いて周波数変換しているので、受信装置１の消費電力を低減することができる。
【０００４】
なお、この出願の発明に関連する先行技術文献情報としては、例えば、特許文献１が知られている。
【特許文献１】特開２００５−１３０２７９号公報
【発明の開示】
【発明が解決しようとする課題】
【０００５】
上記構成において、各々の半導体チップ２，３の外部端子である第１局部信号出力端子８と第２局部信号入力端子９には、通信部から出力される第２無線周波数帯の信号が混入する。このとき、通信部から混入する第２無線周波数が第１局部信号出力端子８から第２局部信号入力端子９に入力される第１局部信号の周波数と所定範囲内に近接する場合、第２混合部１１が第１無線周波数の信号を通信部からの上記混入信号によって周波数変換することによって、第２フィルタ１２で除去しきれないノイズが発生する。その結果、受信装置１の受信品質が劣化するという問題があった。
【０００６】
そこで本発明は、受信装置の受信品質を向上させることを目的とする。
【課題を解決するための手段】
【０００７】
この目的を達成するために本発明の受信装置は、第１無線周波数帯の受信信号が入力される第１半導体チップ及び第２半導体チップと、第２無線周波数帯の信号を用いて通信する通信部とを備える。そして、第１半導体チップは、第１局部信号を発振する第１局部発振部と、この第１局部発振部からの第１局部信号を用いて、第１無線周波数帯の受信信号を周波数変換する第１混合部と、第１局部発振部からの第１局部信号を第１半導体チップの外部に出力する第１局部信号出力端子とを有する。また、第２半導体チップは、第２局部信号を発振する第２局部発振部と、第１局部信号出力端子からの第１局部信号を第２半導体チップ内部に入力する第１局部信号入力端子と、第２局部発振部からの第２局部信号と第１局部信号入力端子からの第１局部信号のうちいずれか一方を用いて、第１無線周波数帯の受信信号を周波数変換する第２混合部とを有する。さらにまた、第２混合部は、第１局部信号出力端子から第１局部信号入力端子に入力される第１局部信号の周波数が第２周波数帯から所定範囲内の周波数の場合、第２局部発振部からの第２局部信号を用いて、第１無線周波数帯の受信信号を周波数変換し、第１局部信号出力端子から第１局部信号入力端子に入力される第１局部信号の周波数が第２周波数帯から所定範囲外の周波数である場合、第１局部信号入力端子からの第１局部信号を用いて、第１無線周波数帯の受信信号を周波数変換する。
【発明の効果】
【０００８】
上記構成により、第１局部信号出力端子から第１局部信号入力端子に入力される第１局部信号の周波数が第２無線周波数帯から所定範囲内の周波数である場合、第２混合部は、第２半導体チップ３内部を通る第２局部信号を使用するので、通信部からの第２周波数帯の信号が第２混合部に混入することを抑制することができる。これにより、受信装置１の受信品質を向上させることができる。
【発明を実施するための最良の形態】
【０００９】
（実施の形態１）
以下、本発明における実施の形態１について図１を用いて説明する。図１は、本発明の実施の形態１における受信装置のブロック図である。
【００１０】
図１において、受信装置１３は、第１無線周波数帯の信号をダイバシティ受信する第１半導体チップ１４及び第２半導体チップ１５と、第２無線周波数帯の信号を用いて通信する通信部（図示せず）とを備える。また、この受信装置１３を用いた電子機器（図示せず）は、第１半導体チップ１４及び第２半導体チップ１５の出力側に接続された復調部（図示せず）と、この復調部の出力側に接続された信号処理部（図示せず）と、この信号処理部の出力側に接続された液晶ディスプレイなどの表示部（図示せず）及びスピーカなどの音声再生部（図示せず）とを備える。
【００１１】
そして、第１半導体チップ１４は、第１局部信号を発振する第１局部発振部１６と、この第１局部発振部１６にループ接続されると共に第１制御部１７からの信号によって第１局部信号の周波数を制御する第１ＰＬＬ（Ｐｈａｓｅ−Ｌｏｃｋｅｄ  Ｌｏｏｐ）回路１８と、第１局部発振部１６からの信号を分周する第１分周部１９とを有する。また、第１半導体チップ１４は、第１アンテナ２０からの受信信号が入力される第１入力端子２１と、第１入力端子２１からの信号のノイズを除去する第１入力フィルタ（図示せず）と、この第１入力フィルタからの信号を増幅する第１高周波増幅部２２とを有する。さらに、第１半導体チップ１４は、第１分周部１９からの第１局部信号を用いて、第１高周波増幅部２２からの信号を周波数変換する第１混合部２３と、この第１混合部２３からの信号のノイズを除去する第１フィルタ２４と、この第１フィルタ２４からの信号を第１半導体チップ１４の外部に出力する第１出力端子２５とを有する。さらにまた、第１半導体チップ１４は、第１局部発振部１６からの第１局部信号を第１局部信号出力端子２７から第１半導体チップ１４の外部に出力する第１バッファ２６を有する。
【００１２】
また、第２半導体チップ１５は、第２局部信号を発振する第２局部発振部２８と、この第２局部発振部２８にループ接続されると共に第２制御部２９からの信号によって第２局部信号の周波数を制御する第２ＰＬＬ回路３０とを有する。そして、第２半導体チップ１５は、第１局部信号出力端子２７からの第１局部信号を第１局部信号入力端子３１を介して第２半導体チップ１５内部に入力する第２バッファ３２を有する。また、第２半導体チップ１５は、第２アンテナ３３からの受信信号が入力される第２入力端子３４と、第２入力端子３４からの信号のノイズを除去する第２入力フィルタ（図示せず）と、この第２入力フィルタからの信号を増幅する第２高周波増幅部３５とを有する。さらに、第２半導体チップ１５は、第２局部発振部２８からの第２局部信号と第２バッファ３２からの第１局部信号のうちいずれか一方を分周する第２分周部３６と、この第２分周部３６からの第１局部信号と第２局部信号のうちいずれか一方を用いて、第２高周波増幅部３５からの信号を周波数変換する第２混合部３７とを有する。さらにまた、第２半導体チップ１５は、第２混合部３７からの信号のノイズを除去する第２フィルタ３８と、この第２フィルタ３８からの信号を第２半導体チップ１５の外部に出力する第２出力端子３９とを有する。
【００１３】
なお、第１制御部１７及び第２制御部２９は、受信装置１３外部に配置されているＣＰＵ４０から制御されている。また、第１局部信号出力端子２７と第１局部信号入力端子３１とは伝送線路４１によって接続されている。
【００１４】
以下、具体的な受信状況を想定した受信装置１３の動作について、図２を用いて説明する。図２は本発明の実施形態における第１無線周波数帯と、分周後の第１局部信号の周波数と、分周前の第１局部信号の周波数と、第２無線周波数帯との関係を示す図である。
【００１５】
図２に示す第１無線周波数帯は、受信装置１３がダイバシティ受信するテレビ放送の受信周波数帯である。詳述すると、この第１無線周波数帯は、日本国内の地上波デジタル放送で使用されるＶＨＦチャンネルの１７３ＭＨｚ〜２１９ＭＨｚ及びＵＨＦチャンネルの４７３ＭＨｚ〜７６７ＭＨｚである。そして、分周後の第１局部信号の周波数は、第１無線周波数帯である受信周波数を第１混合部２３及び第２混合部３７で中間周波数の５００ＫＨｚに周波数変換する周波数である。つまり、第１局部信号がアッパーローカルである場合、分周後の第１局部信号の周波数は、ＶＨＦチャンネル受信時において１７３．５ＭＨｚ〜２１９．５ＭＨｚであり、ＵＨＦチャンネル受信時において４７３．５ＭＨｚ〜７６７．５ＭＨｚである。そして、ＶＨＦチャンネル受信時における第１分周部１９及び第２分周部３６の分周比を８分周とすると、分周前の第１局部信号の周波数は、１３８８ＭＨｚ〜１７５６ＭＨｚであり、ＵＨＦチャンネル受信時における第１分周部１９及び第２分周部３６の分周比を２分周とすると、分周前の第１局部信号の周波数は、９４７ＭＨｚ〜１５３５ＭＨｚである。
【００１６】
さらにまた、図２に示す第２無線周波数帯は、受信装置１３の通信部で送受信する信号の周波数帯である。例えば、第２無線周波数帯は、携帯電話の送受信周波数と、携帯電話の付加無線機能であるＧＰＳ（Ｇｌｏｂａｌ  Ｐｏｓｉｔｉｏｎｉｎｇ  Ｓｙｓｔｅｍ）の受信周波数と、無線ＬＡＮ（Ｌｏｃａｌ  Ａｒｅａ  Ｎｅｔｗｏｒｋ）の送受信周波数である。尚、携帯電話の送受信周波数は、日本国内の携帯電話で一般的に使用される予定の第３世代Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）規格に対応した送受信の無線周波数である８００〜９００ＭＨｚ帯、１．４〜１．５ＧＨｚ帯、１．７〜１．９ＧＨｚ帯、１．９〜２．２ＧＨｚ帯である。また、ＧＰＳの受信無線周波数は１．５〜１．６ＧＨｚ、無線ＬＡＮ（Ｌｏｃａｌ  Ａｒｅａ  Ｎｅｔｗｏｒｋ）の送受信無線周波数は２．４〜２．５ＧＨｚである。このように、受信装置１３を用いてテレビ放送の受信動作と携帯電話や付加無線機能の送受信動作とを同時に行った場合、分周前の第１局部信号の周波数と第２無線周波数帯とが一部重複する。
【００１７】
以上で示す図２の周波数関係において、第１局部信号の周波数と第２無線周波数帯とが所定範囲内に近接しない場合、第２半導体チップ１５は、第１半導体チップ１４の第１局部信号出力端子２７からの第１局部信号を第１局部信号入力端子３１に入力し、第２混合部３７において、第２バッファ３２及び第２分周部３６を介した第１局部信号を用いて、第２高周波増幅部３５からの第１無線周波数帯の受信信号の周波数を中間周波数に変換する。このとき、第２半導体チップでは第２局部発振部２８および第２ＰＬＬ回路３０の動作をオフさせることで消費電力を低減させることが可能である。一方、第１局部信号の周波数と第２無線周波数帯とが所定範囲内に近接する場合、第２半導体チップ１５は、第２混合部３７において、第２局部発振部２８からの第２分周部３６を介した第２局部信号を用いて、第２高周波増幅部３５からの第１無線周波数帯の受信信号の周波数を中間周波数に変換する。このとき、第２半導体チップ１５では、第２バッファ３２の動作をオフすることで通信部から出力された第２無線周波数の信号を第２混合部３７に入力することなく受信装置１３の受信品質を良好に保つことが可能となる。また同時に、第１半導体チップ１４では、第１バッファ２６の動作をオフし、これにより第１半導体チップ１４の第１局部信号出力端子２７から第１局部信号を外部へ出力することなく、通信部に対する不要輻射を抑制して通信部の送受信品質を良好に保つことが可能となる。
【００１８】
なお、本実施の形態では、第１無線周波数帯を日本国内の地上波デジタル放送用周波数帯とし、第２無線周波数帯を同じく日本国内のＷ−ＣＤＭＡ規格用周波数帯として説明したが、第１無線周波数帯を欧州や米国のテレビ放送用周波数帯とし、第２無線周波数帯をＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎ）としても良い。さらにまた、無線ＬＡＮ用の第２無線周波数帯を２．４ＧＨｚ帯ではなく５ＧＨｚ帯やその他の周波数帯とした場合であっても同様の効果を得ることができる。
【００１９】
また、第２局部発振部２８が発振する第２局部信号の周波数を第１局部発振部１６が発振する第１局部信号の周波数と異なる周波数としても良い。例えば、第１局部信号の周波数と第２無線周波数帯とが所定範囲内に近接する場合、第１半導体チップ１４は第１局部発振部１６からの「アッパーローカルとなる第１局部信号」を用いて第１無線周波数帯の受信信号を第１混合部２３で中間周波数５００ＫＨｚに周波数変換するが、第２半導体チップ１５は第２局部発振部２８からの「ローワーローカルとなる第２局部信号」を用いて第１無線周波数帯の受信信号を第２混合部３７で中間周波数５００ＫＨｚに周波数変換しても良い。つまり、ダイバシティ受信する第１半導体チップ１４と第２半導体チップ１５の各々で用いる第１及び第２局部信号の周波数を略同一でなく異なった周波数であるアッパーローカル及びローワーローカルとし、第１及び第２局部信号の周波数差を中間周波数の２倍とする。これにより、第１局部信号が第２混合部３７に混入すると共に第２局部信号が第１混合部２３に混入することから発生するノイズを第１フィルタ２４および第２フィルタで除去することが可能となり、受信装置１３の受信品質を向上させることができる。
【００２０】
尚、本発明の形態では、第１分周部１９及び第２分周部３６の分周比ＮをＶＨＦチャンネル受信時に８分周としＵＨＦチャンネル受信時に２分周とする一例を説明したが、この他の分周比に設定しても同様の効果を得ることができる。ここで、本実施の形態のように中間周波数を低い周波数とした構成の場合、第１分周部１９及び第２分周部３６の分周比Ｎを１に設定すると、第１無線周波数帯と第１局部信号の周波数とは略同一の周波数帯域となり、他の無線規格である第２無線周波数帯と第１局部信号の周波数とが所定範囲内に近接することはない。しかしながら、本実施の形態とは異なり中間周波数を高い周波数とした構成においては第１分周部１９及び第２分周部３６の分周比Ｎを１に設定した場合も、他の無線規格である第２周波数帯と第１局部信号の周波数とが所定範囲内に近接することがあり得る。
【００２１】
（実施の形態２）
以下、本発明における実施の形態２について図３を用いて説明する。なお、実施の形態１と同様の構成については、同一の符号をつけてその説明を省略し、相違点について詳述する。図３は、本発明の実施の形態２における受信装置のブロック図である。
【００２２】
図３において、実施の形態２の実施の形態１に対する相違点は、第１バッファ２６と入出力が逆方向となる第３バッファ４２が第１バッファ２６に並列で接続され、また、第２バッファ３２と入出力が逆方向となる第４バッファ４３が第２バッファ３２に並列で接続されている点である。
【００２３】
また、第１半導体チップ１４は、第１局部発振部１６、第１ＰＬＬ回路１８、第１バッファ２６、第３バッファ４２、第１高周波増幅部、第１混合部、第１分周部、第１フィルタ等の各回路部の動作を個別にオンするかオフするかを選択する第１電源制御部４４を有する。さらに、第２半導体チップ１５は、第２局部発振部２８、第２ＰＬＬ回路３０、第２バッファ３２、第４バッファ４３、第２高周波増幅部３５、第２混合部３７、第２分周部３６、第２フィルタ３８等の各回路部の動作を個別にオンするかオフするかを選択する第２電源制御部４５を有する。尚、第１電源制御部４４及び第２電源制御部４５は、後に説明する回路状態を示す情報を受信装置１３外部に配置されているＣＰＵ４０から受け、各回路部の動作のオンオフを選択する。また、ＣＰＵ４０は、復調部（図示せず）で判定した受信状況に従ってダイバシティ受信状態と非ダイバシティ受信状態の切替えを行い、例えば復調結果であるＢＥＲ（Ｂｉｔ  Ｅｒｒｏｒ  Ｒａｔｅ）が所定値未満で受信状況が良好な場合は受信装置１３を非ダイバシティ受信の状態とし、所定値以上で受信状況が良好でない場合は受信装置１３をダイバシティ受信の状態とする。尚、このＢＥＲは一定時間における復調結果の平均である。
【００２４】
次に、本発明の実施の形態２における受信装置１３の動作について説明する。
【００２５】
まず、図３に示す受信装置１３の第１半導体チップ１４と第２半導体チップ１５は、第１無線周波数帯をダイバシティ受信する際、実施の形態１と同様の動作を行うことが可能であると共に、第２半導体チップ１５は第２局部発振部２８からの第２局部信号を第４バッファ４３及び第１局部信号入力端子３１を介して第２半導体チップ１５の外部に出力し、また、第１半導体チップ１４は第１局部信号入力端子３１から伝送線路４１及び第１局部信号用端子２７及び第３バッファ４２を介して入力された第２局部信号と、第１局部発振部１６からの第１局部信号のうちいずれか一方を第１分周部１９で分周し、この第１分周部１９からの第１局部信号と第２局部信号のうちいずれか一方を用いて、第１高周波増幅部２２からの信号を第１混合部２３で周波数変換することが可能である。
【００２６】
従って、ダイバシティ受信する際の第１半導体チップ１４と第２半導体チップ１５は、次に示す３つの中から回路状態を選択することになる。
【００２７】
ダイバシティ回路状態Ａ・・・「第１半導体チップ１４と第２半導体チップ１５は共に第１局部発振部１６からの第１局部信号を用いて周波数変換を行う。不必要となる第２局部発振部２８及び第２ＰＬＬ回路３０は動作をオフする。」
ダイバシティ回路状態Ｂ・・・「第１半導体チップ１４と第２半導体チップ１５は共に第２局部発振部２８からの第２局部信号を用いて周波数変換を行う。不必要となる第１局部発振部１６及び第２ＰＬＬ回路１８は動作をオフする。」
ダイバシティ回路状態Ｃ・・・「第１半導体チップ１４は第１局部発振部１６からの第１局部信号を用い、また、第２半導体チップ１５は第２局部発振部２８からの第２局部信号を用いて周波数変換を行う。不必要となる第１〜第４バッファ２６、３２、４２、４３は動作をオフする。」
ここで、前記ダイバシティ回路状態Ｃは、比較的大電流となる局部発振部１６、２８とＰＬＬ回路部１８、３０を２組ずつ動作させるため消費電流が多い。従って、第１及び第２局部信号の周波数と第２無線周波数帯とが所定範囲内に近接しない場合において、受信装置１３は前記ダイバシティ回路状態Ａ又はＢでダイバシティ受信をする方が好ましい。
【００２８】
一方、受信装置１３が非ダイバシティ受信する際の第１半導体チップ１４と第２半導体チップ１５は、次に示す４つの中から回路状態を選択することになる。
【００２９】
非ダイバシティ回路状態Ｄ・・・「第１半導体チップ１４は第１局部発振部１６からの第１局部信号を用いて周波数変換を行う。不必要となる第２半導体チップ１５の各回路部は動作をオフする。」
非ダイバシティ回路状態Ｅ・・・「第２半導体チップ１５は第２局部発振部２８からの第２局部信号を用いて周波数変換を行う。不必要となる第１半導体チップ１４の各回路部は動作をオフする。」
非ダイバシティ回路状態Ｆ・・・「第１半導体チップ１４は第２局部発振部２８からの第２局部信号を用いて周波数変換を行う。不必要となる第１半導体チップ１４の第１局部発振部１６、第１ＰＬＬ回路１８と、第２半導体チップ１５の第２局部信号に関係しない各回路部は動作をオフする。」
非ダイバシティ回路状態Ｇ・・・「第２半導体チップ１５は第１局部発振部１６からの第１局部信号を用いて周波数変換を行う。不必要となる第１半導体チップ１４の第１局部信号に関係しない各回路部と、第２半導体チップ１５の第２局部発振部２８、第２ＰＬＬ回路３０は動作をオフする。」
ここで、前記非ダイバシティ回路状態ＤとＥは、アンテナからの受信信号が入力される第１及び第２半導体チップ１４、１５内部の第１及び第２局部発振部１６、２８を用いて周波数変換を行っている。このため、第１及び第２局部信号の周波数と第２無線周波数帯とが所定範囲内に近接する場合には、回路状態ＤとＥは、回路状態Ｆ及びＧに比べて受信品質を良好とすることが可能である。また、回路状態ＤとＥは、第１〜第４バッファ２６、３２、４２、４３の動作をオフするため、回路状態Ｆ及びＧに比べて消費電流を低減することが可能である。したがって、受信装置１３は回路状態Ｄ及び前記回路状態Ｅで非ダイバシティ受信をする方が好ましい。
【００３０】
受信装置１３におけるダイバシティ受信と非ダイバシティ受信の状態の切替えについて、特に消費電流を低減できる前記ダイバシティ回路状態Ａ及びＢ、前記非ダイバシティ回路状態Ｄ及びＥを用いて説明する。
【００３１】
まず、受信装置１３の第１半導体チップ１４と第２半導体チップ１５の受信状態が「非ダイバシティ回路状態Ｄ」であり、復調部で判定する受信状況が良好でなかった場合、ＣＰＵ４０は復調部の判定結果にしたがって第１電源制御部４４及び第２電源制御部４５を制御し、そして第１電源制御部４４及び第２電源制御部４５は第１半導体チップ１４と第２半導体チップ１５の各回路部を「ダイバシティ回路状態Ａ」の動作に変更する。動作変更が発生し、オフの状態からオンの状態となる回路部は、第１半導体チップ１４の第１バッファ２６、第２半導体チップ１５の第２バッファ３２、第２分周部３６、第２高周波増幅部３５、第２混合部３７、及び第２フィルタ３８である。ここで、これらの各回路部には局部発振部とＰＬＬ回路が含まれておらず、所定時間を必要とするロックアップタイムを待たずにダイバシティ回路状態に切替えを行うことができる。即ち、受信装置１３が「非ダイバシティ回路状態Ｄ」の場合、受信装置１３を「ダイバシティ回路状態Ａ」とすることにより、受信状況が良好ではない判定がされてから受信装置１３の受信性能が改善されるまでの時間を短縮することができる。
【００３２】
同様に、受信装置１３の第１半導体チップ１４と第２半導体チップ１５の受信状態が「非ダイバシティ回路状態Ｅ」であり、復調部で判定する受信状況が良好でなかった場合、ＣＰＵ４０は復調部の判定結果にしたがって第１電源制御部４４及び第２電源制御部４５を制御し、第１電源制御部４４及び第２電源制御部４５は第１半導体チップ１４と第２半導体チップ１５の各回路部を「ダイバシティ回路状態Ｂ」の動作に変更する。動作変更が発生し、オフの状態からオンの状態となる回路部は、第１半導体チップ１４の第３バッファ４２、第１分周部１９、第１高周波増幅部２２、第２混合部２３、第１フィルタ２４、及び第２半導体チップ１５の第４バッファ４３である。ここで、これらの各回路部には局部発振部とＰＬＬ回路が含まれておらず、所定時間を必要とするロックアップタイムを持たずにダイバシティ回路状態に切替えを行うことができる。即ち、受信装置１３が「非ダイバシティ回路状態Ｅ」の場合、受信装置１３を「ダイバシティ回路状態Ｂ」とすることにより、受信状況が良好ではない判定がされてから受信装置１３の受信性能が改善されるまでを短縮することができる。
【００３３】
以上の構成により、本実施の形態２の受信装置１３は、第１無線周波数帯をダイバシティ受信する際、第１半導体チップ１４からの第１局部信号だけを用いた周波数変換を行うことが可能であり、加えて、第２半導体チップ１５からの第２局部信号だけを用いた周波数変換を行うことも可能である。このため、非ダイバシティ回路状態からダイバシティ回路状態への切替えにロックアップタイムの所定時間を掛けず、受信状況が良好でなくなってから受信装置１３の受信性能を改善させる（ダイバシティ回路状態とする）までの切替え時間を短縮することが可能である。
【００３４】
また、受信装置１３で非ダイバシティ受信を行う際においては、一方の受信系である第１アンテナ２０及び第１半導体チップ１４における受信品質と、他方の受信系である第２アンテナ３３及び第２半導体チップ１５における受信品質とが相違する場合がある。このような場合において、受信装置１３は前記非ダイバシティ回路状態ＤとＥから受信品質の良好ないずれか一方の受信系を選択可能とした方が好ましい。つまり、実施の形態２における受信装置１３の構成により、非ダイバシティ回路状態ＤとＥのうち受信品質の良好な一方を選択することにより受信品質を向上させることができると共に、回路状態ＤとＥのどちらからでも短時間でダイバシティ回路状態に切替えを行うことができる。例えば、携帯電話等の電子機器における実装位置や材質の違いにより第１アンテナ２０の指向性と第２アンテナ３３の指向性との相関が低い場合は、受信品質が良好となる非ダイバシティ回路状態を適宜選択し、そして、移動受信によって第１無線周波数帯の受信状況が良好でなくなった場合には受信装置１３を短時間でダイバシティ回路状態に切替えを行い、受信品質を良好に保つことが可能である。
【産業上の利用可能性】
【００３５】
本発明の受信装置は、受信品質を向上させることができ、携帯端末や車載用テレビ放送受信機器等の電子機器に利用することができる。
【図面の簡単な説明】
【００３６】
【図１】本発明の実施の形態１における受信装置のブロック図
【図２】同受信装置の第１局部信号の周波数と第２無線周波数帯との関係を示す図
【図３】本発明の実施の形態２における受信装置のブロック図
【図４】従来の受信装置のブロック図
【符号の説明】
【００３７】
１３  受信装置
１４  第１半導体チップ
１５  第２半導体チップ
１６  第１局部発振部
１７  第１制御部
１８  第１ＰＬＬ回路
１９  第１分周部
２０  第１アンテナ
２１  第１入力端子
２２  第１高周波増幅部
２３  第１混合部
２４  第１フィルタ
２５  第１出力端子
２６  第１バッファ
２７  第１局部信号出力端子
２８  第２局部発振部
２９  第２制御部
３０  第２ＰＬＬ回路
３１  第１局部信号入力端子
３２  第２バッファ
３３  第２アンテナ
３４  第２入力端子
３５  第２高周波増幅部
３６  第２分周部
３７  第２混合部
３８  第２フィルタ
３９  第２出力端子
４０  ＣＰＵ
４１  伝送線路
４２  第３バッファ
４３  第４バッファ
４４  第１電源制御部
４５  第２電源制御部
【図１】
2007295458.tif 000003
【図２】
2007295458.tif 000004
【図３】
2007295458.tif 000005
【図４】
2007295458.tif 000006